(57)【要約】【課題】簡易な構成で、枠体の間に隙間を形成することにより、折畳式車両を折畳可能にする。【解決手段】折畳式車両（１）の第一枠体（１０）と第二枠体（１２）との枢着箇所に適用可能であり、枢着軸（３）と、クランク（４）と、を含む折畳式車両用折畳構造において、前記枢着軸（３）は、第一枠体（１０）と第二枠体（１２）との枢着箇所を挿通し前記第一枠体（１０）と第二枠体（１２）とを枢着し、その端部に当接面（３０２）が設けてあり、前記クランク（４）は、前記枢着軸（３）の端部に枢着され、前記当接面（３０２）に対応する、第一曲面（４２）と、第二曲面（４４）とを有し、前記第一曲面（４２）の枢着半径は前記第二曲面（４４）の枢着半径よりも大きいことを特徴とする折畳式車両用折畳構造。【選択図】      図２
0003134933.tif 000002
【実用新案登録請求の範囲】
【請求項１】
折畳式車両（１）の第一枠体（１０）と第二枠体（１２）との枢着箇所に適用可能であり、枢着軸（３）と、クランク（４）と、を含む折畳式車両用折畳構造において、
前記枢着軸（３）は、第一枠体（１０）と第二枠体（１２）との枢着箇所を挿通し前記第一枠体（１０）と第二枠体（１２）とを枢着し、その端部に当接面（３０２）が設けてあり、
前記クランク（４）は、前記枢着軸（３）の端部に枢着され、前記当接面（３０２）に対応する、第一曲面（４２）と、第二曲面（４４）とを有し、前記第一曲面（４２）の枢着半径は前記第二曲面（４４）の枢着半径よりも大きく、前記クランク（４）が第一位置に旋回されたときに、前記第二曲面（４４）が前記当接面（３０２）を圧迫して、前記枢着軸（３）において前記第一枠体（１０）と前記第二枠体（１２）とが緊密に連接するようになり、このとき、折畳式車両（１）が展開された状態になり、なお、前記クランク（４）が第二位置に旋回されたときに、前記第一曲面（４２）が前記当接面（３０２）に対応するようになって、前記枢着軸（３）において前記第一枠体（１０）と前記第二枠体（１２）との間に隙間（５）が発生するようになり、このとき、折畳式車両（１）が折畳んだ状態になることを特徴とする、
折畳式車両用折畳構造。
【請求項２】
前記第一枠体（１０）と前記第二枠体（１２）との枢着端面には、第一軸受（２０）と、第二軸受（２２）とがそれぞれ設けてあり、且つ第一軸受（２０）と第二軸受（２２）とはカルダン軸受であることを特徴とする、請求項１に記載の折畳式車両用折畳構造。
【請求項３】
前記折畳式車両（１）を折畳んでいるときに、前記第一軸受（２０）と前記第二軸受（２２）とが互いに斜めになって前記枢着軸（３）がずれるようになり、且つ前記第一枠体（１０）のセンターライン（Ａ１）と、前記枢着軸（３）の軸心ライン（Ａ２）とがずれて交差するようになることを特徴とする、請求項２に記載の折畳式車両用折畳構造。
【考案の詳細な説明】
【技術分野】
【０００１】
本考案は、折畳式車両用折畳構造に係り、特に、簡易な構成で、枠体の間に隙間を形成することにより、折畳式車両を折畳可能にする折畳式車両用折畳構造に関するものである。
【背景技術】
【０００２】
目下、折畳式自転車は、全体の体積を縮小可能であるので、収納スペースがかなり掛らなく、運搬作業が便利になり、だから、消費者に愛用されている。例えば特許文献１に提案された「折畳式自転車」は、伸び位置決め装置により、自転車の前後フレームを展開し、又は折畳む状態にすることができるものを開示し、また、特許文献２にも多種の折畳式自転車の関連構造を開示した。
【特許文献１】台湾特許第Ｉ２５４６８３号明細書
【特許文献２】台湾実用新案第Ｍ２４６２６６号明細書
【考案の開示】
【考案が解決しようとする課題】
【０００３】
しかしながら、上記のような折畳式自転車は、部品の点数が多く、だから、組付作業の工数が増加し、且つ部品の作製コストも増加する問題があった。
【０００４】
本考案の主な目的は、簡易な構成で、枠体の間に隙間を形成することにより、折畳式車両を快速に折畳可能にする折畳式車両用折畳構造を提供することにある。
【課題を解決するための手段】
【０００５】
上記目的を達成するためになされた本願の考案は、折畳式車両の第一枠体と第二枠体との枢着箇所に適用可能であり、枢着軸と、クランクと、を含む折畳式車両用折畳構造において、前記枢着軸は、第一枠体と第二枠体との枢着箇所を挿通し前記第一枠体と第二枠体とを枢着し、その端部に当接面が設けてあり、前記クランクは、前記枢着軸の端部に枢着され、前記当接面に対応する、第一曲面と、第二曲面とを有し、前記第一曲面の枢着半径は前記第二曲面の枢着半径よりも大きく、前記クランクが第一位置に旋回されたときに、前記第二曲面が前記当接面を圧迫して、前記枢着軸において前記第一枠体と前記第二枠体とが緊密に連接するようになり、このとき、折畳式車両が展開された状態になり、なお、前記クランクが第二位置に旋回されたときに、前記第一曲面が前記当接面に対応するようになって、前記枢着軸において前記第一枠体と前記第二枠体との間に隙間が発生するようになり、このとき、折畳式車両が折畳んだ状態になることを特徴とする折畳式車両用折畳構造であることを要旨としている。
【考案の効果】
【０００６】
本考案の折畳式車両用折畳構造によれば、簡易な構成で、枠体の間に隙間を形成することにより、折畳式車両を快速に折畳可能になるという効果がある。
【考案を実施するための最良の形態】
【０００７】
以下、添付図面を参照して本考案の好適な実施の形態を詳細に説明する。
【０００８】
まず、図１乃至図４Ｂを参照する。図１は本考案の実施例の外観斜視図であり、図２は本考案の実施例の構造を示す分解斜視図であり、図３Ａは本考案のクランクが第一位置に回転された状態を示す概略図であり、図３Ｂは本考案の実施例の隙間が作用している状態を示す概略図１であり、図３Ｃは本考案の実施例の隙間が作用している状態を示す概略図２であり、図４Ａは本考案の実施例の折畳式車両を展開した状態を示す概略図であり、図４Ｂは本考案の実施例の折畳式車両を折畳んだ状態を示す概略図である。本考案の実施例の折畳式車両用折畳構造は、折畳式車両１の第一枠体１０と第二枠体１２との枢着箇所に適用可能であり、本実施例では、第一枠体１０が前フレームであり、第二枠体１２が後フレームであり、前記第一枠体１０と第二枠体１２との枢着端面には互いに連接する固着具１００，１２０が設けてある。且つ本考案の実施例の折畳式車両用折畳構造は、第一軸受２０と、第二軸受２２と、枢着軸３と、クランク４と、を含む。
【０００９】
前記第一軸受２０と第二軸受２２とは、前記第一枠体１０と第二枠体１２との枢着端面にそれぞれ設けられ、互いに平行して対向し、そして前記第一軸受２０と第二軸受２２とはカルダン軸受である。
【００１０】
前記枢着軸３は、前記第一軸受２０と第二軸受２２との中心をそれぞれ挿通し、且つ端部に当接ブロック３０が設けてあり、前記当接ブロック３０には前記枢着軸３を挿入する貫通孔３００が開設してあり、前記当接ブロック３０には当接面３０２が設けてある。
【００１１】
前記クランク４は、挿通軸４０を介して前記枢着軸３の端部に枢着され、前記当接面３０２に対応する、第一曲面４２と、第二曲面４４とを有し、前記第一曲面４２の枢着半径は前記第二曲面４４の枢着半径よりも大きく、前記クランク４が第一位置（図３Ａ参照）に旋回されたときに、前記第二曲面４４が前記当接面３０２を圧迫して、前記枢着軸３において前記第一枠体１０と前記第二枠体１２とが緊密に連接するようになり、このとき、折畳式車両１が展開された状態になり（図４Ａ参照）、且つ前記固着具１００，１２０の固着により、展開された状態での折畳式車両１の前記第一枠体１０と前記第二枠体１２とが安定に結合するようになり、なお、前記クランク４が第二位置（図３Ｂ参照）に旋回されたときに、前記第一曲面４２が前記当接面３０２に対応するようになって、前記枢着軸３において前記第一枠体１０と前記第二枠体１２との間に隙間５が発生するようになり、且つ前記第二枠体１２を前記枢着軸３に沿ってクランク４へ移動し、そうすると、前記第一枠体１０と前記第二枠体１２とが隙間５で離間するようになり（図３Ｃ参照）、前記隙間５により、折畳式車両１が折畳んだ状態になり（図４Ｂ参照）、また、前記第一曲面４２と第二曲面４４とが連続な弧状面である。
【００１２】
また、前記枢着軸３に弾性子６を増設してもよく、前記弾性子６は、前記枢着軸３を挿通し、前記第一軸受２０と第二軸受２２とをそれぞれ当接し、前記クランク４が第二位置（図３Ｂ参照）に位置するときに、前記弾性子６の弾性回復力により、外力を要らなく、又は少しの外力で第一枠体１０と第二枠体１２とを直接に分離して、図３Ｃに示した状態になることができ、また、前記弾性子６はバネでもいい。
【００１３】
また、前記固着具１００，１２０の間に闇固着子（図示せず）を増設してもよく、第一枠体１０と第二枠体１２とが図４Ａに示す展開状態になったときに、前記闇固着子によりクランク４が第一位置で締付けられ、これにより、ユーザが折畳式車両を乗っているときに、クランク４が外力を受けて緩めになって前記固着具１００，１２０が緩めるようになることを防止でき、ユーザの騎乗の安全性を確保可能になり、なお、図３Ｂに示したように、前記クランク４を第二位置に旋回しようとする場合には、まず、前記闇固着子を解放することが必要であり、そうすると、前記クランク４を第一位置から旋回することができるようになる。
【００１４】
更に強調したいのは、前記二つの固着具１００，１２０の突合せ面には突合せ部１０２，１２２がそれぞれ設けてあり、折畳式車両１が展開された状態で（図５Ａ参照）、突合せ部１０２，１２２に形成された平面は前記枢着軸３の軸心とやや傾斜しており、なお、折畳式車両１を折畳んでいるときに（図５Ｂ参照）、第一枠体１０と第二枠体１２との枢着箇所の径方向の長さが増加するようになり、だから、第一枠体１０と第二枠体１２との枢着箇所の内部に前記枢着軸３を収容することができなくなり、このとき、第一枠体１０と第二枠体１２との枢着箇所の内部にある第一軸受２０と第二軸受２２とが互いに斜めになって前記枢着軸３がずれるようになり、且つ前記第一枠体１０のセンターラインＡ１と、前記枢着軸３の軸心ラインＡ２とがずれて交差するようになり（図６参照）、ひいては第一枠体１０と第二枠体１２との枢着箇所には、前記枢着軸３がずれて空間が放出されたので、折畳式車両１を折畳むことができ、これにより、前記第二枠体１２のセンターラインＡ３と、前記第一枠体１０のセンターラインＡ１とがある角度に成し、前記第一枠体１０の車輪の近傍に前記第二枠体１２の車輪を旋回することができ、だから、折畳式車両１の掛られるスペースを低減することができる。
【００１５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１６】
【図１】本考案の実施例の外観斜視図である。
【図２】本考案の実施例の構造を示す分解斜視図である。
【図３Ａ】本考案のクランクが第一位置に回転された状態を示す概略図である。
【図３Ｂ】本考案の実施例の隙間が作用している状態を示す概略図１である。
【図３Ｃ】本考案の実施例の隙間が作用している状態を示す概略図２である。
【図４Ａ】本考案の実施例の折畳式車両を展開した状態を示す概略図である。
【図４Ｂ】本考案の実施例の折畳式車両を折畳んだ状態を示す概略図である。
【図５Ａ】本考案の実施例の折畳式車両を展開した状態の枠体の枢着箇所を示す概略図である。
【図５Ｂ】本考案の実施例の折畳式車両を折畳んだ状態の枠体の枢着箇所を示す概略図である。
【図６】本考案の実施例の折畳式車両を折畳んだ状態の枢着軸がオフセットされた状態を示す概略図である。
【符号の説明】
【００１７】
１…折畳式車両、３…枢着軸、４…クランク、５…隙間、６…弾性子、１０…第一枠体、１２…第二枠体、２０…第一軸受、２２…第二軸受、３０…当接ブロック、４０…挿通軸、４２…第一曲面、４４…第二曲面、１００，１２０…固着具、１０２，１２２…突合せ部、３００…貫通孔、３０２…当接面、Ａ１…センターライン、Ａ２…軸心ライン、Ａ３…センターライン。
【図１】
0003134933.tif 000003
【図２】
0003134933.tif 000004
【図３Ａ】
0003134933.tif 000005
【図３Ｂ】
0003134933.tif 000006
【図３Ｃ】
0003134933.tif 000007
【図４Ａ】
0003134933.tif 000008
【図４Ｂ】
0003134933.tif 000009
【図５Ａ】
0003134933.tif 000010
【図５Ｂ】
0003134933.tif 000011
【図６】
0003134933.tif 000012